(57)【要約】【課題】複数の通信手段を備える電子装置において、電力の消費を抑える。【解決手段】電子装置としての携帯電話装置１は、第１無線通信システムを介して通信する第１無線通信部１３１と、第２無線通信システムを介して通信する第２無線通信部１３２と、を含む通信部１３を備える。携帯電話装置１は、ネットワーク上の通信装置の通信状態を管理するプレゼンスサーバから、通信装置の通信状態を示すプレゼンス情報を取得する。携帯電話装置１は、第２無線通信部１３２に代わって第２無線通信システムを介して通信する通信装置である代替通信装置のプレゼンス情報を、プレゼンスサーバから取得する。携帯電話装置１は、取得したプレゼンス情報に基づき、代替通信装置がオンラインか否かを判別する。代替通信装置がオンラインである場合には、携帯電話装置１は、第２無線通信部により消費される電力を抑える。【選択図】図２
2008154225.tif 000002
【特許請求の範囲】
【請求項１】
第１の通信網と、前記第１の通信網とは異なる第２の通信網と、を含む複数の通信網を介して通信する電子装置であって、
前記第１の通信網を介して通信する第１の通信手段と、前記第２の通信網を介して通信する第２の通信手段と、を含む複数の通信手段と、
前記第２の通信手段に代わって前記第２の通信網を介して通信する通信装置である代替通信装置の通信状態を示すプレゼンス情報を取得するプレゼンス情報取得手段と、
前記プレゼンス情報取得手段により取得されたプレゼンス情報に基づき、前記代替通信装置がオンラインか否かを判別するオンライン判別手段と、
前記オンライン判別手段により代替通信装置がオンラインであると判別されたときに、前記第２の通信手段により消費される電力を抑える消費電力制御手段と、
を備える電子装置。
【請求項２】
前記プレゼンス情報取得手段は、
前記第２の通信手段の消費電力が抑えられていない場合には、前記代替通信装置のプレゼンス情報を、前記複数の通信網の何れか１つを介して取得し、
前記消費電力制御手段により前記第２の通信手段の消費電力が抑えられている場合には、前記代替通信装置のプレゼンス情報を、前記複数の通信網の中の前記第２の通信網以外の通信網の何れか１つを介して取得し、
前記消費電力制御手段は、
前記第２の通信手段の消費電力を抑えている間に、前記オンライン判別手段により代替通信装置がオンラインでないと判別されたときに、前記第２の通信手段の消費電力の抑制を解除する、
ことを特徴とする請求項１に記載の電子装置。
【請求項３】
前記代替通信装置の装置識別子を記憶する代替装置識別子記憶手段を更に備え、
前記プレゼンス情報取得手段は、
前記複数の通信網の何れか１つを介して、通信網上の通信装置の通信状態を管理するプレゼンスサーバから、通信装置を識別するための装置識別子と、該装置識別子で特定される通信装置のプレゼンス情報と、を互いに関連付けて取得する通信装置情報取得手段と、
前記通信装置情報取得手段により取得された装置識別子が、前記代替装置識別子記憶手段に記憶されているか否かを判別する代替判別手段と、
前記代替判別手段により装置識別子が前記代替装置識別子記憶手段に記憶されていると判別されたときに、該装置識別子に関連付けられて前記通信装置情報取得手段により取得されたプレゼンス情報を、代替通信装置のプレゼンス情報として取得する代替通信装置プレゼンス情報取得手段と、を有する、
ことを特徴とする請求項１又は２に記載の電子装置。
【請求項４】
前記消費電力制御手段は、前記オンライン判別手段により代替通信装置がオンラインでないと判別されたときに、前記第２の通信手段への電力の供給を実行し、前記オンライン判別手段により代替通信装置がオンラインであると判別されたときに、前記第２の通信手段への電力の供給を停止する電力供給制御手段を備える、
ことを特徴とする請求項１乃至３の何れか一項に記載の電子装置。
【請求項５】
前記消費電力制御手段は、前記オンライン判別手段により代替通信装置がオンラインでないと判別されたときに、前記第２の通信手段の間欠受信間隔を所定の基準間隔に設定し、前記オンライン判別手段により代替通信装置がオンラインであると判別されたときに、該間欠受信間隔を前記所定の基準間隔より長い間隔である省電力間隔に設定する間欠受信間隔制御手段を備える、
ことを特徴とする請求項１乃至３の何れか一項に記載の電子装置。
【請求項６】
前記第１の通信網は広域無線通信網であり、前記第１の通信手段は該広域無線通信網の基地局を介して通信する広域無線通信手段であり、前記第２の通信網は、該広域無線通信網の基地局より電波が届く範囲が狭い基地局を有する局所無線通信網であり、前記第２の通信手段は該局所無線通信網の基地局を介して通信する局所無線通信手段である、
ことを特徴とする請求項１乃至５の何れか一項に記載の電子装置。
【請求項７】
前記オンライン判別手段により代替通信装置がオンラインであると判別されたときに、前記第２の通信網を介して前記第２の通信手段に送信される情報を該代替通信装置に転送させるための転送要求を、前記第２の通信網に接続されている転送サーバに送信する転送要求手段を備える、
ことを特徴とする請求項１乃至６の何れか一項に記載の電子装置。
【請求項８】
ユーザの操作に応答して、前記複数の通信手段の内から選択された１つの通信手段を特定する選択情報の入力を受け付ける操作手段を備え、
前記消費電力制御手段は、前記操作手段に入力された選択情報により特定される通信手段により消費される電力を抑える、
ことを特徴とする請求項１乃至７の何れか一項に記載の電子装置。
【請求項９】
ユーザの操作に応答して、前記第２の通信手段による通信を開始する指示情報の入力を受け付ける操作手段を備え、
前記電力供給制御手段は、前記第２の通信手段への電力の供給を停止している場合に、前記操作手段に指示情報が入力されたときに、前記第２の通信手段への電力の供給を再開する、
ことを特徴とする請求項４に記載の電子装置。
【請求項１０】
前記省電力間隔を記憶する間欠受信間隔記憶手段と、
ユーザの操作に応答して、前記省電力間隔を変更するための変更情報の入力を受け付ける操作手段と、
前記操作手段に入力された変更情報に基づき、前記間欠受信間隔記憶手段に記憶されている省電力間隔を変更する間欠受信間隔変更手段と、を備え、
前記間欠受信間隔制御手段は、前記オンライン判別手段により代替通信装置がオンラインであると判別されたときに、間欠受信間隔を、前記間欠受信間隔記憶手段に記憶されている省電力間隔に設定する、
ことを特徴とする請求項５に記載の電子装置。
【請求項１１】
ユーザの操作に応答して、前記第２の通信手段による通信を開始する指示情報の入力を受け付ける操作手段を備え、
前記間欠受信間隔制御手段は、間欠受信間隔を省電力間隔に設定している場合に、前記操作手段に指示情報が入力されたときに、該間欠受信間隔を前記所定の基準間隔に再設定する、
ことを特徴とする請求項５又は１０に記載の電子装置。
【請求項１２】
通信装置の通信状態を管理するプレゼンスサーバと、第１の通信網と該第１の通信網とは異なる第２の通信網とを含む複数の通信網を介して通信する電子装置と、を備えるプレゼンス通信システムであって、
前記プレゼンスサーバは、前記第２の通信手段に代わって前記第２の通信網を介して通信する通信装置である代替通信装置の通信状態を示すプレゼンス情報を前記電子装置に送信し、
前記電子装置は、
前記第１の通信網を介して通信する第１の通信手段と、前記第２の通信網を介して通信する第２の通信手段と、を含む複数の通信手段と、
前記複数の通信網の何れか１つを介して、前記プレゼンスサーバが送信した代替通信装置のプレゼンス情報を取得するプレゼンス情報取得手段と、
前記プレゼンス情報取得手段により取得されたプレゼンス情報に基づき、前記代替通信装置がオンラインか否かを判別するオンライン判別手段と、
前記オンライン判別手段により代替通信装置がオンラインであると判別されたときに、前記第２の通信手段により消費される電力を抑える消費電力制御手段と、を備える、
ことを特徴とするプレゼンス通信システム。
【請求項１３】
第１の通信網を介して通信する第１の通信部と、前記第１の通信網とは異なる第２の通信網を介して通信する第２の通信部と、を含む複数の通信部を備え、前記第１の通信網と前記第２の通信網とを含む複数の通信網を介して通信するコンピュータに、
前記第２の通信部に代わって前記第２の通信網を介して通信する通信装置である代替通信装置の通信状態を示すプレゼンス情報を取得するプレゼンス情報取得ステップと、
前記プレゼンス情報取得ステップにより取得されたプレゼンス情報に基づき、前記代替通信装置がオンラインか否かを判別するオンライン判別ステップと、
前記オンライン判別ステップにより代替通信装置がオンラインであると判別されたときに、前記第２の通信部により消費される電力を抑える消費電力制御ステップと、
を実行させるためのプログラム。
【発明の詳細な説明】
【技術分野】
【０００１】
本発明は、複数の通信部を備える電子装置等に関する。
【背景技術】
【０００２】
複数の通信システムを介して通信可能な移動端末が、下記の特許文献１に開示されている。
具体的には、その移動端末は、複数の通信システムを介して通信可能な複数の無線通信部を備える。その移動端末は、各通信システムの通信品質に応じて、使用する通信システムを切り替える。
【特許文献１】特開２００２−１９９４２６号公報
【発明の開示】
【発明が解決しようとする課題】
【０００３】
上述の移動端末においては、複数の無線通信部のすべてに、常時、電力が供給される。そのため、その移動端末は、１つの無線通信部のみを備える移動端末に比べて、消費電力が増大する。
移動端末等の電子装置においては、動作用の電力を供給する電源としてバッテリが使用されることが多い。そのため、そのような電子装置においては、バッテリで動作可能な時間が大幅に減少してしまう。
【０００４】
本発明は、上記実情に鑑みてなされたものであり、複数の通信部を備える電子装置において、電力の消費を抑えることが可能な電子装置等を提供することを目的とする。
【課題を解決するための手段】
【０００５】
上記目的を達成するため、本発明の第１の観点に係る電子装置は、
第１の通信網と、前記第１の通信網とは異なる第２の通信網と、を含む複数の通信網を介して通信する電子装置であって、
前記第１の通信網を介して通信する第１の通信手段と、前記第２の通信網を介して通信する第２の通信手段と、を含む複数の通信手段と、
前記第２の通信手段に代わって前記第２の通信網を介して通信する通信装置である代替通信装置の通信状態を示すプレゼンス情報を取得するプレゼンス情報取得手段と、
前記プレゼンス情報取得手段により取得されたプレゼンス情報に基づき、前記代替通信装置がオンラインか否かを判別するオンライン判別手段と、
前記オンライン判別手段により代替通信装置がオンラインであると判別されたときに、前記第２の通信手段により消費される電力を抑える消費電力制御手段と、
を備える。
【０００６】
また、本発明の第２の観点に係るプレゼンス通信システムは、
通信装置の通信状態を管理するプレゼンスサーバと、第１の通信網と該第１の通信網とは異なる第２の通信網とを含む複数の通信網を介して通信する電子装置と、を備えるプレゼンス通信システムであって、
前記プレゼンスサーバは、前記第２の通信手段に代わって前記第２の通信網を介して通信する通信装置である代替通信装置の通信状態を示すプレゼンス情報を前記電子装置に送信し、
前記電子装置は、
前記第１の通信網を介して通信する第１の通信手段と、前記第２の通信網を介して通信する第２の通信手段と、を含む複数の通信手段と、
前記複数の通信網の何れか１つを介して、前記プレゼンスサーバが送信した代替通信装置のプレゼンス情報を取得するプレゼンス情報取得手段と、
前記プレゼンス情報取得手段により取得されたプレゼンス情報に基づき、前記代替通信装置がオンラインか否かを判別するオンライン判別手段と、
前記オンライン判別手段により代替通信装置がオンラインであると判別されたときに、前記第２の通信手段により消費される電力を抑える消費電力制御手段と、を備える、
ことを特徴とする。
【０００７】
また、本発明の第３の観点に係るプログラムは、
第１の通信網を介して通信する第１の通信部と、前記第１の通信網とは異なる第２の通信網を介して通信する第２の通信部と、を含む複数の通信部を備え、前記第１の通信網と前記第２の通信網とを含む複数の通信網を介して通信するコンピュータに、
前記第２の通信部に代わって前記第２の通信網を介して通信する通信装置である代替通信装置の通信状態を示すプレゼンス情報を取得するプレゼンス情報取得ステップと、
前記プレゼンス情報取得ステップにより取得されたプレゼンス情報に基づき、前記代替通信装置がオンラインか否かを判別するオンライン判別ステップと、
前記オンライン判別ステップにより代替通信装置がオンラインであると判別されたときに、前記第２の通信部により消費される電力を抑える消費電力制御ステップと、
を実行させる。
【発明の効果】
【０００８】
本発明によれば、複数の通信手段を備える電子装置において、電力の消費を抑えることができる。
【発明を実施するための最良の形態】
【０００９】
（実施形態１）
以下、図を参照して、本発明の実施形態１を説明する。
実施形態１では、電子装置として、通信装置である携帯電話装置１及び携帯電話装置２を用いる。
【００１０】
先ず、図１を参照して、実施形態１に係るプレゼンス通信システムＰＳの全体構成について説明する。
プレゼンス通信システムＰＳは、携帯電話装置１、携帯電話装置２、第１無線通信システム３、第２無線通信システム４、呼制御サーバ５、位置登録サーバ６、プレゼンスサーバ７、番号対照ＤＢ（Database）サーバ８、ネットワークＮ、を備える。第１無線通信システム３は、第１基地局３ａと、プレゼンス情報通知装置３ｂと、を含む。第２無線通信システム４は、第２基地局４ａを含む。
【００１１】
携帯電話装置１、携帯電話装置２、第１基地局３ａ、プレゼンス情報通知装置３ｂ、第２基地局４ａ、呼制御サーバ５、位置登録サーバ６、プレゼンスサーバ７、番号対照ＤＢサーバ８、は、ネットワークＮを通じて相互にデータを伝送する。
【００１２】
携帯電話装置１は、実施形態１に係る電子装置であり、複数の無線通信部を備える。携帯電話装置１は、それらの複数の無線通信部を用いて、第１無線通信システム３及び第２無線通信システム４を介して、音声信号又はデータ信号を受信する。更に、携帯電話装置１は、ＳＩＰ（Session Initiation Protocol）に従って通信可能である。
携帯電話装置１の回路構成については、詳細を後述する。
【００１３】
携帯電話装置２は、図示しない１つの無線通信部を備える電子装置である。携帯電話装置２は、その１つの無線通信部を用いて第２無線通信システム４を介して、音声信号又はデータ信号を受信する。更に、携帯電話装置２は、ＳＩＰに従って通信可能である。なお、携帯電話装置１と携帯電話装置２の所有者は同一である。
【００１４】
第１無線通信システム３は、広域無線通信網であり、第１基地局３ａ、プレゼンス情報通知装置３ｂ、を備える。第１無線通信システム３は、例えば、ＣＤＭＡ（Code Division Multiple Access）等のセルラー方式の移動通信システムである。
【００１５】
第１基地局３ａは、第１無線通信システム３を介する複数の電子装置間の通信を中継する。
プレゼンス情報通知装置３ｂは、第１無線通信システム３を介して通信する携帯電話装置１が、トラフィックチャネルを切断して待ち受ける「間欠受信」待機を行っているときに、後述するプレゼンスサーバ７から送信されるプレゼンス情報を携帯電話装置１へ通知する。
【００１６】
第２無線通信システム４は、局所無線通信網であり、第２基地局４ａを備える。第２無線通信システム４は、例えば、ＩＥＥＥ（the Institute of Electrical and Electronic Engineers）８０２．１１ｂ規格等の無線ＬＡＮ（Local Area Network）通信システムである。
第２基地局４ａは、第２無線通信システム４を介する複数の電子装置間の通信を中継する。
【００１７】
呼制御サーバ５は、ＳＩＰに従って生成されたメッセージを処理する呼制御用のサーバである。
位置登録サーバ６は、電子装置に付与されている電話番号等の装置識別子と、ＩＰアドレス等の場所情報と、を対応付けた情報を記憶する。
【００１８】
プレゼンスサーバ７は、通信網上の電子装置の動作状態（通信状態を含む）を管理するサーバ装置である。プレゼンスサーバ７は、電子装置毎にその動作状態を示すプレゼンス情報を格納しており、プレゼンス通信システムＰＳを利用して通信する電子装置に、他の電子装置のプレゼンス情報を送信する。また、プレゼンス通信システムＰＳ内の通信網上の電子装置は、自己が備える無線通信部の動作状態が変化したときに、変化後の動作状態を示すプレゼンス情報をプレゼンスサーバ７に送信する。
【００１９】
ここに、プレゼンス情報とは、具体的には、電話、電子メール等による通信に用いられる電子装置の無線通信部の通信状態と、その電子装置のユーザの状態と、を示す情報である。プレゼンス情報は、例えば、電子装置が通信可能な状態であることを示す「オンライン」、電子装置が通信中であることを示す「通信中」、電子装置は通信可能な状態であるがユーザが離席している状態であることを示す「オンライン（離席中）」、電子装置が通信不可能な状態であることを示す「オフライン」、等である。
【００２０】
プレゼンス情報は、図３Ａに示すように、電子装置を特定する装置識別子ＡＩ（例えば、電話番号、ＩＰアドレス、ユーザが電子装置毎に決定して付与する固有の名称、等）と、電子装置の無線通信部及びその電子装置のユーザの状態を示すプレゼンスＰＲと、電子装置のユーザ（所有者）を示すユーザ識別子ＵＩと、を対応付ける。
【００２１】
番号対照ＤＢサーバ８は、ある電子装置への着信を他の電子装置へ転送させるための転送先情報を格納する。番号対照ＤＢサーバ８は、着信転送時に、呼制御サーバ５により参照される。
【００２２】
ここで、転送先情報は、図３Ｃに示すように、ユーザが所有する複数の電子装置の中で、転送元の電子装置と転送先の電子装置とを相互に、各電子装置に付与された装置識別子により対応付けた情報である。例えば、携帯電話装置１のユーザは、携帯電話装置１の第２無線通信部１３２への着信を、ユーザが有する携帯電話装置２へ転送させたいときに、番号対照ＤＢサーバ８に、転送元として「携帯電話装置１＿第２無線通信部１３２」を、転送先として「携帯電話装置２」を対応付けて格納させる。このような転送先情報が番号対照ＤＢサーバ８に格納されている場合には、任意の電子装置が携帯電話装置１の第２無線通信部１３２に発信すると、転送元である携帯電話装置１の第２無線通信部１３２に代わって、転送先の携帯電話装置２が着信し、発信側の電子装置と通信する。
【００２３】
次に、実施形態１に係る携帯電話装置１を説明する。
携帯電話装置１は、図２に示すように、制御部１１、記憶部１２、通信部１３、共通回路部１４、電源部１５、操作部１６、表示部１７、音声マイクロフォン１８、音声スピーカ１９、バス１０、を備える。
【００２４】
制御部１１は、ＣＰＵ（Central Processing Unit）を備え、記憶部１２に格納された動作プログラムに従って、携帯電話装置１の全体的な動作を制御する。
また、制御部１１は、通信制御部１１１、電力供給制御部１１２、を備える。
【００２５】
通信制御部１１１は、通信部１３が備える第１無線通信部１３１及び第２無線通信部１３２に通信機能の動作状態を変更する指示を与えて、それらの無線通信部を制御する。通信制御部１１１は、第１無線通信部１３１及び第２無線通信部１３２を、例えば、無線信号の送信、受信、受信待機、等の動作状態に制御する。
【００２６】
また、待ち受け時の無線信号にはタイムスロットＴＳが定義されており、タイムスロットＴＳの時間間隔毎に、受信するべき情報が含まれている。
通信制御部１１１は、電源部１５が備えるバッテリ１５ｂの電力消費を低減するために、第１無線通信部１３１及び第２無線通信部１３２へ、タイムスロットＴＳにタイミングを合わせて電力の供給を行い、それ以外のタイミングにおいては電力の供給を停止する。
【００２７】
電力供給制御部１１２は、通信制御部１１１からユーザが使用する全ての電子装置のプレゼンス情報を受け取り、プレゼンス情報に応じて電源部１５の動作状態を制御する。
更に、電力供給制御部１１２は、プレゼンス情報取得制御部１１２ａ、プレゼンス特定部１１２ｂ、電力供給判別部１１２ｃ、転送制御部１１２ｄ、を備える。電力供給制御部１１２の各構成要素については、詳細を後述する。
【００２８】
記憶部１２は、フラッシュメモリなどの不揮発性メモリ、ＲＡＭ（Random Access Memory）等から構成され、図４Ａ〜図４Ｃ、図５Ａ〜図５Ｃ、及び図６のフローチャートに示す処理を制御部１１に実行させるためのプログラム等を記憶する。また、記憶部１２は制御部１１のワークメモリとして機能する。
更に、記憶部１２は、プレゼンス情報記憶領域１２１、プレゼンス監視対象情報記憶領域１２２、電力供給状態記憶領域１２３、通信状態記憶領域１２４、転送先情報記憶領域１２５、間欠受信間隔記憶領域１２６、を備える。
【００２９】
プレゼンス情報記憶領域１２１には、プレゼンスサーバ７から受信した図３Ａに示すプレゼンス情報が記憶されている。
プレゼンス情報の内、電子装置を特定するための装置識別子ＡＩには、携帯電話装置１が備える第１無線通信部１３１及び第２無線通信部１３２も登録されている。このように、１つの電子装置が複数の通信部を備えている場合には、通信部毎に装置識別子ＡＩが割り当てられる。
【００３０】
なお、電子装置のプレゼンスＰＲは、「オンライン」、「オフライン」、「通信中」等であり、電子装置の電力供給状態と通信状態とを組み合わせた情報により定められる。また、ユーザ識別子ＵＩにより、携帯電話装置１の所有者が通信太郎氏であることが識別できる。
【００３１】
プレゼンス監視対象情報記憶領域１２２には、図３Ｂに示すプレゼンス監視対象情報が記憶されている。プレゼンス監視対象情報は、プレゼンス情報を監視する対象となる電子装置のリストであり、ユーザにより操作部１６から入力された情報である。具体的には、ユーザが所有する電子装置の中で、第２無線通信部１３２に代わって第２無線通信システム４を介して通信することができる電子装置（代替電子装置）が、監視対象として、プレゼンス監視対象情報に登録される。
【００３２】
プレゼンス監視対象情報は、図３Ｂに示すように、プレゼンスを監視する対象となる電子装置を示す装置識別子ＡＩと、電子装置の所有者を示すユーザ識別子ＵＩと、を対応付けた情報である。図３Ｂでは、例えば、携帯電話装置２、ＰＤＡ（Personal Digital Assistants）等が登録されている。なお、ユーザ識別子ＵＩは必ずしも登録しなくてもよい。また、図１では、監視対象の電子装置の例として携帯電話装置２を示している。しかしながら、監視対象の電子装置は、図３Ｂに列挙したような第２無線通信システム４を介して通信することができる電子装置であれば良く、一台のみの登録でも良いし、複数台登録しても良い。
【００３３】
プレゼンス監視対象情報は、携帯電話装置１がプレゼンスサーバ７からプレゼンス情報を受信したときに、受信したプレゼンス情報を有する電子装置が監視対象であるか否かを判別するために、プレゼンス特定部１１２ｂにより参照される。
【００３４】
電力供給状態記憶領域１２３は、通信部１３が備える複数の無線通信部への電力供給状態を示す電力供給情報を記憶する。
電力供給状態は、通信部１３の無線通信部に電力が供給されていれば「オンライン」であり、通信部１３の無線通信部に電力が供給されていなければ「オフライン」である。
【００３５】
通信状態記憶領域１２４は、通信部１３が備える複数の無線通信部による通信機能の動作状態を示す通信状態情報を、通信制御部１１１から受け取って記憶する。
通信状態情報は、例えば、「受信待機中」、「通信中」、「アクセス中」、「無線通信部切替中」、等である。
【００３６】
携帯電話装置１の動作状態を示すプレゼンスＰＲは、電力供給情報と通信状態情報とを組み合わせて構成される。なお、「オンライン（転送データ有）」のようなプレゼンスＰＲを設けるようにしてもよい。このようなプレゼンスＰＲを設けた場合には、ユーザは、データの転送先として設定した電子装置に、転送データがあるか否かを容易に把握できる。
【００３７】
転送先情報記憶領域１２５には、着信を受ける電子装置と着信の転送先である電子装置とを対応付ける転送先情報が記憶されている。
転送先情報は、図３Ｃに示すように、着信を受ける電子装置を示す装置識別子ＡＩと、着信の転送先となる電子装置を示す転送先識別子ＴＩと、を対応付ける。
なお、転送先情報は、ユーザによる操作部１６からの入力によって変更可能である。
【００３８】
転送先識別子ＴＩは、音声信号の着信が転送される第１転送先を示す第１転送先識別子ＴＩ１と、データ信号の着信が転送される第２転送先を示す第２転送先識別子ＴＩ２と、を含む。
これにより、図３Ｃに示す転送先情報の例においては、会社で使用するノートＰＣ宛に送信された音声信号はそのままそのノートＰＣで受信され、そのノートＰＣ宛に送信されたデータ信号はユーザの自宅にあるＰＣへ転送される。
【００３９】
間欠受信間隔記憶領域１２６には、待ち受け時に第１無線通信部１３１及び第２無線通信部１３２の通信機能を動作させるために、バッテリ１５ｂから待ち受け時の第１無線通信部１３１及び第２無線通信部１３２へ電力が供給されるタイミングを示す「間欠受信間隔」が記憶されている。
【００４０】
実施形態１における間欠受信間隔記憶領域１２６には、予め定められた間欠受信間隔Ｔ１が記憶されている。間欠受信間隔Ｔ１は、第１無線通信部１３１及び第２無線通信部１３２の通信機能が通常の待ち受け動作をするときに参照される。そのため、以下、Ｔ１を「通常受信間隔」と称する。
【００４１】
通信部１３は、第１無線通信部１３１、第２無線通信部１３２、を備える。
第１無線通信部１３１は、第１無線通信システム３を介して通信を行う広域無線通信部である。第２無線通信部１３２は、第２無線通信システム４を介して通信を行う局所無線通信部である。なお、携帯電話装置２が備える無線通信部も、第２無線通信部１３２と同様に、第２無線通信システム４を介して通信を行う局所無線通信部である。
【００４２】
第１無線通信部１３１は、アンテナ１３１ａを介して第１基地局３ａと交信し、音声信号、映像信号、データ信号を送受信する。例えば、第１無線通信部１３１は、プレゼンスサーバ７からプレゼンス情報を定義する信号を受信して復調し、出力する。
【００４３】
第２無線通信部１３２は、アンテナ１３２ａを介して第２基地局４ａと交信し、音声信号、映像信号、データ信号を送受信する。例えば、第２無線通信部１３２は、プレゼンスサーバ７からプレゼンス情報を定義する信号を受信して復調し、出力する。
【００４４】
携帯電話装置１は、第１無線通信部１３１を用いることにより、広域無線通信システムである第１無線通信システム３を介して、他の電子装置と通信可能である。また、携帯電話装置１は、第２無線通信部１３２を用いることにより、局所無線通信システムである第２無線通信システム４を介して、他の電子装置と通信可能である。
これにより、携帯電話装置１は、広域無線通信システムの特徴である広域の接続性と、局所無線通信システムの特徴である安価で高速なデータ通信性と、を有する。
【００４５】
なお、共通回路部１４は、第１無線通信部１３１及び第２無線通信部１３２に共通する、無線信号に対する処理を行う回路である。
【００４６】
電源部１５は、電源コントローラ１５ａとバッテリ１５ｂとを備える。
電源コントローラ１５ａは、電力供給制御部１１２の制御指示に応じて、第１無線通信部１３１及び第２無線通信部１３２、に動作用の電力を供給する。
更に、電源コントローラ１５ａは、電力供給制御部１１２からの指示に従って、携帯電話装置１の電源オン時には、携帯電話装置１内の各構成要素に電力を供給する。また、電源オフ時には、制御部１１と操作部１６とに待機用の電力を供給する。
【００４７】
操作部１６は、ユーザが指示やデータを入力するための各種のキー若しくはボタンを備える。操作部１６には、制御部１１への各種の指示やデータが入力される。また、操作部１６には、携帯電話装置１の電源をオン及びオフにするための電源ボタンが設けられている。
ユーザは操作部１６を操作することにより、例えば、電子装置に固有の名称を付与するときの入力、携帯電話装置１の電源のオン又はオフの指示、等が可能である。
【００４８】
表示部１７は、ドットマトリクスタイプのＬＣＤ（Liquid Crystal Display）パネル、ドライバ回路等から構成され、任意の画像を表示する。
音声マイクロフォン１８は、通話時等に、音声信号を収集し、通信部１３に供給する。
音声スピーカ１９は、通話時等に、復調された音声信号を出力する。
バス１０は、制御部１１、記憶部１２、表示部１７、の間で相互にデータを伝送する。
【００４９】
次に、電力供給制御部１１２の各構成要素について詳細に説明する。
【００５０】
プレゼンス情報取得制御部１１２ａは、通信部１３がプレゼンスサーバ７から受信した図３Ａに示すプレゼンス情報を受け取り、プレゼンス情報記憶領域１２１に記憶させる。これにより、ユーザはプレゼンス情報を目視したときに、プレゼンス通信システムＰＳ内の通信網上の電子装置が備える無線通信部の通信状態を確認することができる。なお、携帯電話装置１は、プレゼンスサーバ７から、プレゼンスＰＲに変更があった電子装置のプレゼンス情報だけを受信しても良い。そのような場合には、プレゼンス情報取得制御部１１２ａは、受信したプレゼンス情報に基づき、プレゼンス情報記憶領域１２１に既に記憶されているプレゼンス情報の中の変更部分だけを書き替えれば良い。
【００５１】
また、プレゼンス情報取得制御部１１２ａは、プレゼンス情報を受け取ったときに、プレゼンス情報を受け取ったことをプレゼンス特定部１１２ｂへ通知する。
【００５２】
プレゼンス特定部１１２ｂは、プレゼンス情報記憶領域１２１に記憶されている図３Ａのプレゼンス情報と、プレゼンス監視対象情報記憶領域１２２に記憶されている図３Ｂのプレゼンス監視対象情報と、を比較して、プレゼンス情報により通信状態が示された電子装置が監視対象の電子装置か否かを判別する。
【００５３】
電力供給判別部１１２ｃは、プレゼンス特定部１１２ｂが監視対象であると判別した電子装置のプレゼンスＰＲと、電力供給状態記憶領域１２３が記憶する通信部１３の電力供給情報と、通信状態記憶領域１２４が記憶する通信部１３の通信状態情報と、に基づいて、第１無線通信部１３１又は第２無線通信部１３２への電力供給を継続又は停止するかを判別する。
【００５４】
また、電力供給判別部１１２ｃは、判別した結果に応じて、バッテリ１５ｂから第１無線通信部１３１及び第２無線通信部１３２への電力供給を制御するよう、電源コントローラ１５ａに指示を与える。
【００５５】
転送制御部１１２ｄは、呼制御サーバ５に対して、転送先情報に従って携帯電話装置１への着信を他の電子装置へ転送するよう要求する。
【００５６】
次に、図４Ａ〜図４Ｃのフローチャートを参照して、携帯電話装置１がバッテリ１５ｂの電力消費を抑制するために第２無線通信部１３２をオンからオフに制御するときの、プレゼンス通信システムＰＳの各構成要素の動作について説明する。
なお、前提として、携帯電話装置１の電源がオンされたときには、第１無線通信部１３１及び第２無線通信部１３２は、共に、電力が供給され、オンラインの状態で起動するものとする。
【００５７】
図４Ａ〜図４Ｃのフローチャートに示される処理は、ユーザが、携帯電話装置１の電源ボタンを押下して、携帯電話装置１の電源オン操作を行うと、開始される。なお、図４Ａ〜図４Ｃでは、携帯電話装置１の動作のうち、第２無線通信部１３２に関連する動作を中心に説明する。
【００５８】
ユーザにより電源オン操作が行われると（図４ＡのステップＡ１０）、電力供給制御部１１２は、第２無線通信部１３２に、動作用の電力を供給する（ステップＡ１１）。なお、電力供給制御部１１２は第１無線通信部１３１にも同様に動作用の電力を供給する。
【００５９】
第２無線通信部１３２は、第２基地局４ａを介し、呼制御サーバ５にセッションの確立要求を送信する（ステップＡ１２）。呼制御サーバ５は、セッションの確立要求を受信して（ステップＡ５０）、セッションの確立処理を実行する（ステップＡ５１）。これにより、第２無線通信部１３２と呼制御サーバ５との間に、セッションが確立される（ステップＡ１３）。
【００６０】
また、第２無線通信部１３２は、セッションの確立要求の送信時に、呼制御サーバ５を介して位置登録サーバ６へ位置情報の登録を要求する。この処理のために、呼制御サーバ５は位置登録サーバ６に携帯電話装置１の第２無線通信部１３２の位置情報の登録を要求する（ステップＡ５２）。位置登録サーバ６は、位置情報の登録要求を受信して（ステップＡ６０）、位置情報の登録処理を実行する（ステップＡ６１）。
【００６１】
更に、第２無線通信部１３２は、セッションの確立要求の送信時に、呼制御サーバ５を介してプレゼンスサーバ７へプレゼンス情報の登録を要求する。この処理のために、呼制御サーバ５はプレゼンスサーバ７に携帯電話装置１の第２無線通信部１３２のプレゼンス情報の登録を要求する（ステップＡ５３）。
プレゼンスサーバ７は、プレゼンス情報の登録要求を受信して（ステップＡ７０）、プレゼンス情報の登録処理を実行する（ステップＡ７１）。プレゼンスサーバ７は、ステップＡ５３での呼制御サーバ５からの要求により、携帯電話装置１の第２無線通信部１３２がオンライン（有効）であることを認識する。
【００６２】
第２無線通信部１３２は、位置情報の登録とプレゼンス情報の登録とを要求した後、他の電子装置からの無線信号の受信を待機する（ステップＡ１４）。なお、第１無線通信部１３１も、第２無線通信部１３３と同様に、呼制御サーバ５とセッションを確立する。そして、第１無線通信部１３１の位置情報及びプレゼンス情報が、位置登録サーバ６及びプレゼンスサーバ７に登録される。
【００６３】
第２無線通信部１３２が受信待機状態に移行した後、ユーザが携帯電話装置２の電源オン操作を行ったものとする。ユーザにより電源オン操作が行われると（図４ＢのステップＡ２０）、携帯電話装置２の無線通信部に動作用の電力が供給される。
【００６４】
このとき、携帯電話装置２（携帯電話装置２の無線通信部）は、第２基地局４ａを介して呼制御サーバ５にセッションの確立要求を送信する（ステップＡ２１）。呼制御サーバ５は、セッションの確立要求を受信して（ステップＡ５４）、セッションの確立処理を実行する（ステップＡ５５）。これにより、携帯電話装置２と呼制御サーバ５との間に、セッションが確立される（ステップＡ２２）。
【００６５】
また、携帯電話装置２は、セッションの確立要求の送信時に、呼制御サーバ５を介して、位置登録サーバ６へ位置情報の登録を要求し、プレゼンスサーバ７へプレゼンス情報の登録を要求する。この処理のために、呼制御サーバ５は、位置登録サーバ６に携帯電話装置２の位置情報の登録を要求し（ステップＡ５６）、プレゼンスサーバ７に携帯電話装置２のプレゼンス情報の登録を要求する（ステップＡ５７）。ステップＡ５７での呼制御サーバ５からの要求により、プレゼンスサーバ７は携帯電話装置２が備える無線通信部がオンライン（有効）であることを認識する。
【００６６】
携帯電話装置２は、セッションを確立すると、受信待機状態に移行し（ステップＡ２３）、次の処理が要求されるまで待機する。
位置登録サーバ６は、位置情報の登録要求を受信して（ステップＡ６２）、位置情報の登録処理を実行する（ステップＡ６３）。
プレゼンスサーバ７は、プレゼンス情報の登録要求を受信して（ステップＡ７２）、プレゼンス情報の登録処理を実行する（ステップＡ７３）。
【００６７】
プレゼンスサーバ７は、登録処理された携帯電話装置２のプレゼンス情報、即ち携帯電話装置２がオンラインに移行したことを示すプレゼンス情報を、第２無線通信システム４を介して携帯電話装置１に通知する（図４ＣのステップＡ７４）。
【００６８】
ここで、プレゼンスサーバ７が、携帯電話装置１に「第２無線通信システム４」を介してプレゼンス情報を通知するのは、ステップＡ５３の処理により、第２無線通信システム４を介して通信する第２無線通信部１３２がオンライン（有効）であることを認識しているためである。なお、プレゼンスサーバ７は、第１無線通信部１３１がオンライン（有効）であることを認識している場合には、第１無線通信システム３を介して携帯電話装置１にプレゼンス情報を通知しても良い。
【００６９】
第２無線通信部１３２は、プレゼンス監視対象情報に登録されている携帯電話装置２がオンライン状態であることを示すプレゼンス情報を受信する（ステップＡ１５）。
【００７０】
携帯電話装置１は、受信したプレゼンス情報を分析する（ステップＡ１６）。分析の結果、携帯電話装置１は、第２無線通信部１３２と同様に第２無線通信システム４を介して通信する携帯電話装置２が、オンライン状態にあることを認識する。そこで、携帯電話装置１は、第２無線通信部１３２の電源をオフにするためのステップＡ１７及びＡ１８の処理を実行する。
【００７１】
まず、携帯電話装置１は、他の電子装置からの第２無線通信部１３２に対する着信を、オンライン状態の携帯電話装置２に転送させるために、呼制御サーバ５に対して着信転送を要求する（ステップＡ１７）。このとき、携帯電話装置１は、第１無線通信部１３１及び第２無線通信部１３２のいずれを用いて、着信転送を要求してもよい。
【００７２】
呼制御サーバ５は、携帯電話装置１からの要求に応じて、番号対照ＤＢサーバ８に着信転送の設定を要求する（ステップＡ５８）。番号対照ＤＢサーバ８は、着信転送の設定要求を受信し（ステップＡ８０）、着信転送を設定する（ステップＡ８１）。呼制御サーバ５は、着信転送の実行時に、番号対照ＤＢサーバ８に設定された情報を参照する。
【００７３】
携帯電話装置１において、転送制御部１１２ｄが、呼制御サーバ５に対して着信転送を要求した後、電力供給制御部１１２は、第２無線通信部１３２への電力供給を停止する（ステップＡ１８）。
これにより、第２無線通信部１３２は、次に電力が供給されるまで、電源オフ状態となる。
【００７４】
ステップＡ１６〜Ａ１８の処理内容については、図６のフローチャートを参照して詳細を後述する。
【００７５】
なお、発信側の電子装置が、着信側の電子装置のプレゼンスＰＲを確認してから発呼を行う機能を有する場合には、発信側のユーザは通信相手が有する電子装置の中からオンライン状態の電子装置を選んで発呼すればよいため、ステップＡ１７、Ａ５８、Ａ８０、及びＡ８１の着信転送のための処理は、必ずしも行わなくてよい。また、このような場合には、携帯電話装置１は、転送先情報記憶領域１２５及び転送制御部１１２ｄを備えなくてもよい。
【００７６】
ただし、携帯電話装置１に転送先情報記憶領域１２５及び転送制御部１１２ｄが設けられている場合には、通信先の電子装置がオフライン状態であっても他の電子装置に着信が転送されるため、発信側のユーザは、通信先の電子装置のプレゼンスＰＲに留意することなく発呼することができる。
【００７７】
次に、図５Ａ〜図５Ｃのフローチャートを参照して、携帯電話装置１が第２無線通信部１３２をオフからオンに制御するときの、プレゼンス通信システムＰＳの各構成要素の動作について説明する。
【００７８】
なお、前提として、図５Ａ〜図５Ｃのフローチャートに示される処理が開始されるときの携帯電話装置１及び携帯電話装置２の動作状態は、図４Ａ〜図４Ｃのフローチャートに示される処理が終了したときの状態とする。即ち、第１無線通信部１３１には電力が供給されており、第２無線通信部１３２への電力供給は停止されている。
更に、携帯電話装置２は、電源がオンにされて受信待機状態にある。
【００７９】
この状態において、ユーザにより携帯電話装置２の電源オフ操作が行われると（図５ＡのステップＢ２０）、図５Ａ〜図５Ｃのフローチャートに示される処理が開始される。
【００８０】
携帯電話装置２は、ユーザにより電源オフ操作が行われると、第２基地局４ａを介して呼制御サーバ５にセッションの切断要求を送信する（ステップＢ２１）。呼制御サーバ５は、セッションの切断要求を受信して（ステップＢ５０）、セッションの切断処理を実行する（ステップＢ５１）。これにより、携帯電話装置２と呼制御サーバ５との間に確立されていたセッションが切断される（ステップＢ２２）。携帯電話装置２は、セッションを切断すると、電源をオフにし（ステップＢ２３）、次の処理が要求されるまで待機する。具体的には、携帯電話装置２は、無線通信部への電力供給を停止し、電源オン操作が行われるまで待機する。
【００８１】
また、携帯電話装置２は、セッションの切断要求の送信時に、呼制御サーバ５を介して、位置登録サーバ６へ位置情報の登録削除を要求し、プレゼンスサーバ７へプレゼンス情報の変更を要求する。この処理のために、呼制御サーバ５は、位置登録サーバ６に携帯電話装置２の位置情報の登録削除を要求し（ステップＢ５２）、プレゼンスサーバ７に携帯電話装置２のプレゼンス情報の変更を要求する（ステップＢ５３）。
【００８２】
位置登録サーバ６は、位置情報の登録削除要求を受信して（ステップＢ６０）、位置情報の登録削除処理を実行する（ステップＢ６１）。プレゼンスサーバ７は、プレゼンス情報の変更要求を受信して（ステップＢ７０）、プレゼンス情報の変更処理を実行する（ステップＢ７１）。これにより、プレゼンスサーバ７は、携帯電話装置２がオフラインに移行したことを認識する。
【００８３】
プレゼンスサーバ７は、携帯電話装置２がオフラインに移行したことを示すプレゼンス情報を、呼制御サーバ５及び第１無線通信システム３を介して、携帯電話装置１の第１無線通信部１３１に通知する（図５ＢのステップＢ７２）。
【００８４】
プレゼンス情報が第１無線通信部１３１に通知されるのは、第１無線通信部１３１と呼制御サーバ５との間でセッションが確立される際に、プレゼンスサーバ７が、携帯電話装置１の第１無線通信部１３１のプレゼンス情報の登録要求を呼制御サーバ５から受信しており、携帯電話装置１の第１無線通信部１３１がオンライン（有効）であることを認識しているためである。
【００８５】
なお、プレゼンス情報を通知される第１無線通信部１３１が、トラフィックチャネルを切断して待ち受ける「間欠受信」待機状態にある場合には、プレゼンス情報通知装置３ｂは、プレゼンス情報が存在することを通知する際、例えば、ＳＭＳ（Short Message Service）等を利用すればよい。
【００８６】
携帯電話装置１の第１無線通信部１３１は、プレゼンス監視対象情報に登録されている携帯電話装置２がオフライン状態であることを示すプレゼンス情報を受信する（ステップＢ１０）。
【００８７】
携帯電話装置１は、受信したプレゼンス情報を分析する（ステップＢ１１）。分析の結果、携帯電話装置１は、第２無線通信部１３２と同様に第２無線通信システム４を介して通信する携帯電話装置２が、オフライン状態であることを認識する。そこで、携帯電話装置１は、第２無線通信部１３２の通信機能を動作させるため、第２無線通信部１３２に電力を供給する（ステップＢ１２）。
【００８８】
なお、ステップＢ１１及びＢ１２の処理内容については、図６のフローチャートを参照して詳細を後述する。
【００８９】
第２無線通信部１３２は、第２基地局４ａを介して、呼制御サーバ５にセッションの確立要求を送信する（ステップＢ１３）。呼制御サーバ５は、セッションの確立要求を受信して（ステップＢ５４）、セッションの確立処理を実行する（ステップＢ５５）。これにより、第２無線通信部１３２は、呼制御サーバ５とセッションを確立する（ステップＢ１４）。
【００９０】
また、第２無線通信部１３２は、セッションの確立要求の送信時に、呼制御サーバ５を介して、位置登録サーバ６へ位置情報の登録を要求し、プレゼンスサーバ７へプレゼンス情報の登録を要求する。この処理のために、呼制御サーバ５は、位置登録サーバ６に第２無線通信部１３２の位置情報の登録を要求し（ステップＢ５６）、プレゼンスサーバ７に第２無線通信部１３２のプレゼンス情報の登録を要求する（ステップＢ５７）。
【００９１】
位置登録サーバ６は、位置情報の登録要求を受信して（ステップＢ６２）、携帯電話装置１の第２無線通信部１３２の位置情報の登録処理を実行する（ステップＢ６３）。
【００９２】
プレゼンスサーバ７は、ステップＢ５７での呼制御サーバ５からの要求により、携帯電話装置１の第２無線通信部１３２がオンライン（有効）であることを認識する。プレゼンスサーバ７は、プレゼンス情報の登録要求を受信して（ステップＢ７３）、携帯電話装置１の第２無線通信部１３２のプレゼンス情報の登録処理を実行する（ステップＢ７４）。
【００９３】
携帯電話装置１は、呼制御サーバ５に、番号対照ＤＢサーバ８に設定されている、第２無線通信部１３２宛の着信を携帯電話装置２に転送する旨の着信転送の解除を要求する（図５ＣのステップＢ１５）。呼制御サーバ５は、携帯電話装置１からの要求に応じて、番号対照ＤＢサーバ８に着信転送の設定解除を要求する（ステップＢ５８）。
【００９４】
番号対照ＤＢサーバ８は、着信転送の設定解除要求を受信し（ステップＢ８０）、着信転送の設定を解除する（ステップＢ８１）。
【００９５】
このように、第２無線通信部１３２が電源オフの間に、第２無線通信部１３２宛の着信が転送されていた携帯電話装置２が電源オフになると、本来着信を受けるべき第２無線通信部１３２を動作させ、かつ、携帯電話装置２を転送先とする着信転送の設定を解除する。
【００９６】
第２無線通信部１３２は、着信転送の解除を要求すると、受信待機状態に移行し（ステップＢ１６）、次の処理が要求されるまで待機する。
【００９７】
なお、図５Ａ〜図５ＣのフローチャートにおけるステップＢ１１、Ｂ１２及びＢ１５の処理内容について、図６のフローチャートを参照して、詳細を説明する。また、図６のフローチャートは、図５Ａ〜図５ＣにおけるステップＢ１１、Ｂ１２及びＢ１５の処理だけでなく、図４Ａ〜図４ＣにおけるステップＡ１６〜Ａ１８の処理も含む。
【００９８】
なお、図４Ａ〜図４Ｃ及び図５Ａ〜図５Ｃにおいては、第２無線通信部１３２への電力供給を制御するために監視する電子装置の例として、携帯電話装置２を取り上げた。しかし、監視する電子装置は、プレゼンス監視対象情報として図３Ｂに例として列挙した第２無線通信システム４を介して通信することができる電子装置であれば良い。また、複数の電子装置が同時に監視されるような場合には、監視対象の電子装置が何れか一つでもオンラインとなれば、図４Ａ〜図４Ｃに示すように、第２無線通信部１３２への電力供給を停止する。更に、監視対象の電子装置がすべてのオフラインとなった場合に、図５Ａ〜図５Ｃに示すように、第２無線通信部１３２に電力を供給する。
【００９９】
図６のフローチャートに示す電力供給制御処理は、携帯電話装置１の第１無線通信部１３１又は第２無線通信部１３２が、第１無線通信システム３又は第２無線通信システム４を介して、プレゼンス情報を、プレゼンスサーバ７から受信することにより開始される。
【０１００】
即ち、この電力供給制御処理は、図４ＣのステップＡ１５又は図５ＢのステップＢ１０で、携帯電話装置１がプレゼンス情報を受信すると、開始される。また、図６の後述するステップＣ１０〜１８の処理が、図４ＣのステップＡ１６及び図５ＢのステップＢ１１の処理に相当する。
【０１０１】
第１無線通信部１３１又は第２無線通信部１３２がプレゼンス情報を受信すると、プレゼンス情報取得制御部１１２ａは、第１無線通信部１３１又は第２無線通信部１３２から、受信されたプレゼンス情報を取得し（ステップＣ１０）、プレゼンス情報記憶領域１２１に記憶させる（ステップＣ１１）。
続いて、プレゼンス情報取得制御部１１２ａは、プレゼンス情報を取得したことをプレゼンス特定部１１２ｂへ通知する（ステップＣ１２）。
【０１０２】
プレゼンス特定部１１２ｂは、プレゼンス監視対象情報記憶領域１２２に記憶されているプレゼンス監視対象情報を参照して、プレゼンス情報記憶領域１２１に監視対象のプレゼンス情報が含まれているか否かを判別する（ステップＣ１３）。例えば、プレゼンス特定部１１２ｂは、プレゼンス情報記憶領域１２１に記憶されている装置識別子ＡＩの中に、図３Ｂに示したプレゼンス監視対象情報により示される監視対象（代替電子装置）の装置識別子ＡＩが含まれているかを判別する。プレゼンス情報記憶領域１２１に監視対象のプレゼンス情報が含まれていなければ（ステップＣ１３；Ｎｏ）、制御部１１はこの電力供給制御処理を終了して、次のプレゼンス情報を受信するまで待機する。
【０１０３】
プレゼンス情報記憶領域１２１に監視対象のプレゼンス情報が含まれていれば（ステップＣ１３；Ｙｅｓ）、電力供給判別部１１２ｃは、電力供給状態記憶領域１２３を参照して、第２無線通信部１３２に電力が供給されているか否かを判別する（ステップＣ１４）。
【０１０４】
第２無線通信部１３２に電力が供給されており、第２無線通信部１３２が動作していれば（ステップＣ１４；Ｙｅｓ）、電力供給判別部１１２ｃは、プレゼンス情報記憶領域１２１内の監視対象のプレゼンス情報を参照して、オンライン状態の監視対象が有るか否かを判別する（ステップＣ１５）。例えば、電力供給判別部１１２ｃは、プレゼンス情報記憶領域１２１に複数の監視対象のプレゼンス情報が含まれている場合には、プレゼンスＰＲが「オンライン」の監視対象が１つでも存在するか否かを判別する。
【０１０５】
オンライン状態の監視対象が一つもなければ（ステップＣ１５；Ｎｏ）、制御部１１はこの電力供給制御処理を終了して、次のプレゼンス情報を受信するまで待機する。
【０１０６】
オンライン状態の監視対象が一つでもあれば（ステップＣ１５；Ｙｅｓ）、電力供給判別部１１２ｃは、更に、通信状態記憶領域１２４を参照して、第２無線通信部１３２の通信状態が「通信中」であるか否かを判別する（ステップＣ１６）。
【０１０７】
第２無線通信部１３２の通信状態が通信中であれば（ステップＣ１６；Ｙｅｓ）、電力供給判別部１１２ｃは、第１無線通信部１３１又は第２無線通信部１３２が新たなプレゼンス情報を受信したか否かを判別する（ステップＣ１７）。
【０１０８】
新たなプレゼンス情報が受信されていない場合には（ステップＣ１７；Ｎｏ）、制御部１１は処理をステップＣ１６に移し、電力供給判別部１１２ｃは、第２無線通信部１３２の通信状態が通信中でなくなるのを待つ。新たなプレゼンス情報が受信された場合には（ステップＣ１７；Ｙｅｓ）、制御部１１は処理をステップＣ１０に移し、電力供給制御部１１２は、新たなプレゼンス情報に基づきこの電力供給制御処理を最初からやり直す。
【０１０９】
第２無線通信部１３２の通信状態が通信中でなければ（ステップＣ１６；Ｎｏ）、転送制御部１１２ｄは、他の電子装置からの第２無線通信部１３２に対する着信を、オンライン状態の監視対象に転送させるために、呼制御サーバ５に対して着信転送を要求する（ステップＡ１７）。例えば、オンライン状態の監視対象が複数ある場合には、その中の何れか１つに着信を転送させるために、転送制御部１１２ｄは呼制御サーバ５に着信転送を要求する。
【０１１０】
転送制御部１１２ｄが、呼制御サーバ５に対して着信転送を要求した後、電力供給判別部１１２ｃは、第２無線通信部１３２への電力供給を停止する（ステップＡ１８）。これにより、第２無線通信部１３２は、次に電力が供給されて起動するまで、電源オフ状態となる。
【０１１１】
一方、ステップＣ１４において、第２無線通信部１３２に電力が供給されておらず、第２無線通信部１３２が動作していないと判別された場合にも（ステップＣ１４；Ｎｏ）、ステップＣ１５と同様に、電力供給判別部１１２ｃは、プレゼンス情報記憶領域１２１内の監視対象のプレゼンス情報を参照して、オンライン状態の監視対象が有るか否かを判別する（ステップＣ１８）。
【０１１２】
オンライン状態の監視対象が一つでもあれば（ステップＣ１８；Ｙｅｓ）、第２無線通信部１３２を動作させる必要がないため、制御部１１はこの電力供給制御処理を終了して、次のプレゼンス情報を受信するまで待機する。
【０１１３】
オンライン状態の監視対象が一つもなければ（ステップＣ１８；Ｎｏ）、第２無線通信部１３２からの転送が監視対象で着信されないため、第２無線通信部１３２で着信するために第２無線通信部１３２を動作させる必要がある。
このとき、電力供給判別部１１２ｃは、第２無線通信部１３２への電力供給を開始するために、電源コントローラ１５ａに対して、第２無線通信部１３２への電力供給を指示する指示信号を出力する。電源コントローラ１５ａは、指示信号を受け取り、バッテリ１５ｂを制御して第２無線通信部１３２に電力を供給する（ステップＢ１２）。
【０１１４】
転送制御部１１２ｄは、呼制御サーバ５に、番号対照ＤＢサーバ８に設定されている、第２無線通信部１３２宛の着信を携帯電話装置２に転送する旨の着信転送の解除を要求する（ステップＢ１５）。
携帯電話装置１は、次のプレゼンス情報を受信するまで待機する。
【０１１５】
なお、ステップＣ１６にて、更に、第１無線通信部１３１による無線信号の受信状態が良好か否かを更に判定してもよい。第１無線通信部１３１の受信状態が不良であるときには、第２無線通信部１３２が電源オフ状態に移行した後、第１無線通信部１３１によるプレゼンス情報の受信ができないためである。この場合には、第１無線通信部１３１の通信状態が不良であると判別されたときに、電力供給判別部１１２ｃは、第１無線通信部１３１の通信状態が良好になるまで、第２無線通信部１３２への電力供給を停止しないようにすればよい。
【０１１６】
また、ステップＣ１６の処理の実行時点で、第１無線通信部１３１による無線信号の受信状態が良好であったとしても、第２無線通信部１３２を電源オフ状態に移行した後に、第１無線通信部１３１による無線信号の受信状態が不良になるおそれもある。これを解決するためには、第１無線通信部１３１の通信状態が不良と判別されたときに、第２無線通信部１３２への電力供給を直ちに開始すれば良い。これにより、第１無線通信部１３１及び第２無線通信部１３２が共に無線信号を受信できなくなる状態を回避できる。
【０１１７】
更に、第２無線通信部１３２が電源オフ状態にある際に、ユーザが第２無線通信部１３２を使用して通信しようとするときには、第２無線通信部１３２への電力供給を直ちに再開するようにしてもよい。
【０１１８】
このとき、第２無線通信部１３２を使用した通信の開始を検出するために、例えば、ユーザにより操作部１６から第２無線通信部１３２を使用した通信の実行命令が入力されたことを検出するようにすれば良い。具体的には、操作部１６は、ユーザの操作に応答して、第２無線通信部１３２による通信を開始する指示情報の入力を受け付ける。電力供給制御部１１２は、第２無線通信部１３２への電力の供給を停止している場合に、操作部１６に指示情報が入力されたときに、第２無線通信部１３２への電力の供給を再開する。また、第２無線通信部１３２を使用した通信の開始を検出するために、記憶部１２に第２無線通信部１３２に関連付けられたアプリケーションを備えておき、アプリケーションがユーザによって起動されたことを検出するようにしても良い。これにより、ユーザは、希望するときに、第２無線通信部１３２を使用して通信することができる。
【０１１９】
以上説明したように、実施形態１に係る携帯電話装置１は、第１無線通信システム３を介して通信する第１無線通信部１３１と、第２無線通信システム４を介して通信する第２無線通信部１３２と、を備える。携帯電話装置１は、第２無線通信部１３２に代わって第２無線通信システム４を介して通信する電子装置（代替電子装置）を監視対象とする。プレゼンス情報取得制御部１１２ａは、監視対象の通信状態を示すプレゼンス情報をプレゼンスサーバ７から取得する。電力供給判別部１１２ｃは、取得されたプレゼンス情報に基づき、監視対象が、通信可能なオンライン状態であるか否かを判別する。電力供給判別部１１２ｃは、監視対象がオンライン状態であると判別すると、第２無線通信部１３２により消費される電力を抑える。
【０１２０】
従って、実施形態１に係る携帯電話装置１によれば、監視対象である電子装置がオンライン状態のときには、その電子装置が第２無線通信部１３２に代わって通信可能であるため、第２無線通信部１３２により消費される電力を抑えることができる。よって、実施形態１によれば、携帯電話装置１の全体的な電力の消費を抑えることができる。
【０１２１】
また、実施形態１においては、プレゼンス情報取得制御部１１２ａは、第２無線通信部１３２の消費電力が抑えられていない場合には、第１無線通信システム３及び第２無線通信システム４の何れか１つを介して、プレゼンスサーバ７からプレゼンス情報を取得する。一方で、第２無線通信部１３２の消費電力が抑えられている場合には、プレゼンス情報取得制御部１１２ａは、第１無線通信システム３を介してプレゼンスサーバ７からプレゼンス情報を取得する。そして、電力供給判別部１１２ｃは、第２無線通信部１３２の消費電力を抑えている間に、監視対象がオンライン状態でない旨のプレゼンス情報を取得すると、第２無線通信部１３２の消費電力の抑制を解除する。
【０１２２】
従って、実施形態１に係る携帯電話装置１によれば、監視対象が通信できない状態に移行したときには、第２無線通信部１３２の消費電力を元に戻すことにより、監視対象及び第２無線通信部１３２の少なくとも１つは通信可能な状態としながら電力の消費を抑えることができる。
【０１２３】
また、実施形態１においては、プレゼンス監視対象情報記憶領域１２２は、監視対象の装置識別子ＡＩを示すプレゼンス監視対象情報を記憶する。プレゼンス情報取得制御部１１２ａは、第１無線通信システム３及び第２無線通信システム４の何れか１つを介して、プレゼンスサーバ７から、通信網上の電子装置を識別するための装置識別子ＡＩと、その装置識別子で特定される電子装置のプレゼンスＰＲと、を互いに関連付けて取得する。プレゼンス特定部１１２ｂは、プレゼンス情報取得制御部１１２ａにより取得された装置識別子ＡＩが、プレゼンス監視対象情報記憶領域１２２に記憶されているか否かを判別する。プレゼンス特定部１１２ｂによりプレゼンス監視対象情報記憶領域１２２に記憶されていると判別された装置識別子ＡＩに関連付けられているプレゼンスＰＲが、監視対象のプレゼンス情報とされる。
【０１２４】
従って、実施形態１に係る携帯電話装置１によれば、監視対象のプレゼンス情報を適切に取得することができる。
【０１２５】
また、実施形態１においては、電力供給判別部１１２ｃは、監視対象がオンラインでないときには、第２無線通信部１３２への電力の供給を実行する。また、電力供給判別部１１２ｃは、監視対象がオンラインのときには、第２無線通信部１３２への電力の供給を停止する。
【０１２６】
従って、実施形態１に係る携帯電話装置１によれば、第２無線通信部１３２への電力の供給を制御することにより、携帯電話装置１の電力の消費を抑えることができる。
【０１２７】
また、実施形態１においては、第１無線通信部１３１は、広域無線通信網である第１無線通信システム３を介して通信する広域無線通信部である。第２無線通信部１３２は、局所無線通信網である第２無線通信システム４を介して通信する局所無線通信部である。局所無線通信網は、広域無線通信網の基地局より電波が届く範囲が狭い基地局を有する。
【０１２８】
従って、実施形態１に係る携帯電話装置１によれば、局所無線通信部により消費される電力を抑えることができる。
【０１２９】
また、実施形態１においては、電力供給判別部１１２ｃにより監視対象がオンラインであると判別されたときに、転送制御部１１２ｄが、第２無線通信システム４を介して第２無線通信部１３２に送信される情報をその監視対象に転送させるための転送要求を、転送サーバとしての番号対照ＤＢサーバ８に、呼制御サーバ５を介して、送信する。
【０１３０】
従って、実施形態１によれば、番号対照ＤＢサーバ８を参照する呼制御サーバ５によって転送が自動的に実行されるため、発信者は、第２無線通信部１３２に代わって通信する電子装置を探すことなく、通信を行うことができる。
【０１３１】
（実施形態２）
次に、図１、図７、及び図８を参照して、本発明の実施形態２について説明する。
実施形態２は、無線通信部の通信機能が待ち受け時に動作するタイミングの間隔を示す間欠受信間隔を変更して、第１無線通信部１３１及び第２無線通信部１３２へ動作用に供給されるバッテリ１５ｂに蓄えられた電力の消耗を低減する例である。なお、図７及び図８において、図２及び図６に示した構成要素と同一の構成要素には同一の符号を付している。
【０１３２】
先ず、図７を参照して、実施形態２に係る携帯電話装置１の回路構成について説明する。
実施形態２では、制御部１１は、間欠受信間隔判別部１１２ｅ、タイマ部１１３、を備える。
【０１３３】
間欠受信間隔判別部１１２ｅは、プレゼンス特定部１１２ｂの判別結果と、記憶部１２に記憶されている間欠受信間隔情報と、通信状態記憶領域１２４内の通信部１３の通信状態と、を参照して、第１無線通信部１３１及び第２無線通信部１３２の通信機能が間欠的に動作する間隔を示す間欠受信間隔を定める。更に、間欠受信間隔判別部１１２ｅは、定めた間欠受信間隔を間欠受信間隔記憶領域１２６に記憶させる。
【０１３４】
ここに、間欠受信間隔とは、第１無線通信部１３１及び第２無線通信部１３２の通信機能を動作させるために、バッテリ１５ｂから第１無線通信部１３１及び第２無線通信部１３２に電力が供給されるタイミングの間隔を示す所定の時間間隔である。
【０１３５】
なお、間欠受信間隔は、第１無線通信部１３１及び第２無線通信部１３２が待ち受け時に受信する無線信号が定義するタイムスロットＴＳと同期するように定められている。その無線信号は、タイムスロットＴＳの時間間隔毎に受信するべき情報を含んでいる。
【０１３６】
タイマ部１１３は、直前に行われた受信処理の完了時刻からの経過時間を計時して、経過時間が間欠受信間隔に達したことを検出する。
【０１３７】
実施形態２における間欠受信間隔記憶領域１２６には、通常受信間隔Ｔ１と、通常受信間隔Ｔ１よりも大きな値を有するように予め定められた省電力受信間隔Ｔ２と、が記憶されている。
【０１３８】
更に、間欠受信間隔記憶領域１２６には、現在、通常受信間隔Ｔ１又は省電力受信間隔Ｔ２のどちらの間欠受信間隔に基づいて第１無線通信部１３１が動作しているかを示す第１受信間隔フラグＦ１と、通常受信間隔Ｔ１又は省電力受信間隔Ｔ２のどちらに基づいて第２無線通信部１３２が動作しているかを示す第２受信間隔フラグＦ２と、が記憶されている。
【０１３９】
通信制御部１１１は、第１受信間隔フラグＦ１及び第２受信間隔フラグＦ２を参照して、第１受信間隔フラグＦ１及び第２受信間隔フラグＦ２が示す間欠受信間隔に基づいて、第１無線通信部１３１及び第２無線通信部１３２による通信を制御する。
【０１４０】
また、電源コントローラ１５ａも、間欠受信間隔記憶領域１２６に記憶されている間欠受信間隔に基づいて、第１無線通信部１３１及び第２無線通信部１３２への電力供給を継続又は停止する。
【０１４１】
次に、図８のフローチャートを参照して、図７の電力供給制御部１１２が、携帯電話装置１が受信するプレゼンス情報に基づいて第２無線通信部１３２の間欠受信間隔を制御する間欠受信間隔制御処理を説明する。
【０１４２】
図８のフローチャートに示す間欠受信間隔制御処理は、携帯電話装置１の第１無線通信部１３１又は第２無線通信部１３２が、第１無線通信システム３又は第２無線通信システム４を介して、プレゼンス情報を、プレゼンスサーバ７から受信することにより開始される。
【０１４３】
第１無線通信部１３１又は第２無線通信部１３２がプレゼンス情報を受信すると、プレゼンス情報取得制御部１１２ａは、第１無線通信部１３１又は第２無線通信部１３２から、受信されたプレゼンス情報を取得し（ステップＣ１０）、プレゼンス情報記憶領域１２１に記憶させる（ステップＣ１１）。
続いて、プレゼンス情報取得制御部１１２ａは、プレゼンス情報を取得したことをプレゼンス特定部１１２ｂへ通知する（ステップＣ１２）。
【０１４４】
プレゼンス特定部１１２ｂは、プレゼンス監視対象情報記憶領域１２２に記憶されているプレゼンス監視対象情報を参照して、プレゼンス情報記憶領域１２１に監視対象のプレゼンス情報が含まれているか否かを判別する（ステップＣ１３）。プレゼンス情報記憶領域１２１に監視対象のプレゼンス情報が含まれていなければ（ステップＣ１３；Ｎｏ）、制御部１１はこの間欠受信間隔制御処理を終了して、次のプレゼンス情報を受信するまで待機する。
【０１４５】
プレゼンス情報記憶領域１２１に監視対象のプレゼンス情報が含まれていれば（ステップＣ１３；Ｙｅｓ）、間欠受信間隔判別部１１２ｅは、間欠受信間隔記憶領域１２６に記憶されている第２受信間隔フラグＦ２を参照して、第２無線通信部１３２の通信機能が動作する間欠受信間隔が通常受信間隔Ｔ１又は省電力受信間隔Ｔ２のどちらであるかを判別する（ステップＤ１０）。
【０１４６】
第２無線通信部１３２が通常受信間隔Ｔ１に基づいて動作していれば（ステップＤ１０；Ｙｅｓ）、間欠受信間隔判別部１１２ｅは、プレゼンス情報記憶領域１２１内の監視対象のプレゼンス情報を参照して、オンライン状態の監視対象が有るか否かを判別する（ステップＣ１５）。
【０１４７】
オンライン状態に監視対象が１つもなければ（ステップＣ１５；Ｎｏ）、制御部１１はこの間欠受信間隔制御処理を終了して、次のプレゼンス情報を受信するまで待機する。
【０１４８】
オンライン状態の監視対象が一つでもあれば（ステップＣ１５；Ｙｅｓ）、間欠受信間隔判別部１１２ｅは、更に、通信状態記憶領域１２４を参照して、第２無線通信部１３２の通信状態が「通信中」であるか否かを判別する（ステップＣ１６）。
【０１４９】
第２無線通信部１３２の通信状態が通信中であれば（ステップＣ１６；Ｙｅｓ）、間欠受信間隔判別部１１２ｅは、第１無線通信部１３１又は第２無線通信部１３２が新たなプレゼンス情報を受信したか否かを判別する（ステップＣ１７）。
【０１５０】
新たなプレゼンス情報が受信されていない場合には（ステップＣ１７；Ｎｏ）、制御部１１は処理をステップＣ１６に移し、間欠受信間隔判別部１１２ｅは、第２無線通信部１３２の通信状態が通信中でなくなるのを待つ。新たなプレゼンス情報が受信された場合には（ステップＣ１７；Ｙｅｓ）、制御部１１は処理をステップＣ１０に移し、電力供給制御部１１２は、新たなプレゼンス情報に基づきこの間欠受信間隔制御処理を最初からやり直す。
【０１５１】
第２無線通信部１３２の通信状態が通信中でなければ（ステップＣ１６；Ｎｏ）、転送制御部１１２ｄは、他の電子装置からの第２無線通信部１３２に対する着信を、オンライン状態の監視対象に転送させるために、呼制御サーバ５に対して着信転送を要求する（ステップＡ１７）。
【０１５２】
転送制御部１１２ｄが、呼制御サーバ５に対して着信転送を要求した後、間欠受信間隔判別部１１２ｅは、第２無線通信部１３２が通信する間欠受信間隔を長くするために、第２受信間隔フラグＦ２が示す内容を省電力受信間隔Ｔ２に書き換える（ステップＤ１１）。通信制御部１１１は、書き換えられた後の第２受信間隔フラグＦ２を参照して、第２無線通信部１３２を省電力受信間隔Ｔ２で動作させる。
【０１５３】
一方、ステップＤ１０において、第２無線通信部１３２が省電力受信間隔Ｔ２に基づいて動作していると判別された場合にも（ステップＤ１０；Ｎｏ）、ステップＣ１５と同様に、間欠受信間隔判別部１１２ｅは、プレゼンス情報記憶領域１２１内の監視対象のプレゼンス情報を参照して、オンライン状態の監視対象が有るか否かを判別する（ステップＣ１８）。
【０１５４】
オンライン状態の監視対象が一つでもあれば（ステップＣ１８；Ｙｅｓ）、第２無線通信部１３２を通常受信間隔Ｔ１で動作させる必要がないため、制御部１１はこの間欠受信間隔制御処理を終了して、次のプレゼンス情報を受信するまで待機する。
【０１５５】
オンライン状態の監視対象が一つもなければ（ステップＣ１８；Ｎｏ）、第２無線通信部１３２からの転送が監視対象で着信されないため、第２無線通信部１３２で確実に着信するために、間欠受信間隔判別部１１２ｅは、第２無線通信部１３２を通常受信間隔Ｔ１に基づいて動作させる。
そのため、間欠受信間隔判別部１１２ｅは、第２無線通信部１３２が通信する間欠受信間隔を短くするために、第２受信間隔フラグＦ２が示す内容を通常受信間隔Ｔ１に書き換える（ステップＤ１２）。通信制御部１１１は、書き換えられた後の第２受信間隔フラグＦ２を参照して、第２無線通信部１３２を通常受信間隔Ｔ１で動作させる。
【０１５６】
転送制御部１１２ｄは、呼制御サーバ５に、番号対照ＤＢサーバ８に設定されている、第２無線通信部１３２宛の着信を携帯電話装置２に転送する旨の着信転送の解除を要求する（ステップＢ１５）。
携帯電話装置１は、次のプレゼンス情報を受信するまで待機する。
【０１５７】
以上説明したように、実施形態２に係る携帯電話装置１においては、間欠受信間隔判別部１１２ｅは、監視対象がオンラインでないときには、第２無線通信部１３２の間欠受信間隔を、基準間隔である通常受信間隔Ｔ１に設定する。また、間欠受信間隔判別部１１２ｅは、監視対象がオンラインのときには、第２無線通信部１３２の間欠受信間隔を、基準間隔より長い間隔である省電力受信間隔Ｔ２に設定する。第２無線通信部１３２が省電力受信間隔Ｔ２で動作する場合には、通常受信間隔Ｔ１で動作する場合に比べて、消費される電力は少ない。
【０１５８】
従って、実施形態２に係る携帯電話装置１によれば、第２無線通信部１３２の間欠受信間隔を制御することにより、携帯電話装置１の電力の消費を抑えることができる。
【０１５９】
また、実施形態２においては、通常受信間隔Ｔ１と省電力受信間隔Ｔ２とを予め定められた固定値としたが、ユーザにより変更可能としてもよい。この場合、ユーザは、電力消費を更に低減したいときに省電力受信間隔Ｔ２の値を大きくすればよい。
【０１６０】
また、バッテリ１５ｂの電力消耗よりも、通信の適時性及び高速性を優先させて使用したいときには、省電力受信間隔Ｔ２の値を小さく変更すればよい。
【０１６１】
この場合、操作部１６は、ユーザの操作に応答して、省電力受信間隔Ｔ２を変更するための変更情報の入力を受け付ける。ユーザの操作により操作部１６に入力された省電力受信間隔Ｔ２の変更情報に基づき、制御部１１は、間欠受信間隔記憶領域１２６に記憶されている省電力受信間隔Ｔ２の値を変更する。間欠受信間隔判別部１１２ｅは、間欠受信間隔記憶領域１２６に記憶されている変更された省電力受信間隔Ｔ２を用いて、図８に示した間欠受信間隔制御処理を実行する。
【０１６２】
また、実施形態２においては、電力消費を低減するために間欠受信間隔を変更する対象を第２無線通信部１３２としたが、間欠受信間隔を変更する無線通信部を、ユーザが操作部１６により選択可能としてもよい。この場合、携帯電話装置１は、複数の無線通信部の中からユーザにより選択された無線通信部の間欠受信間隔を、電力消費を低減するために制御する。具体的には、操作部１６は、ユーザの操作に応答して、第１無線通信部１３１又は第２無線通信部１３２を特定する選択情報の入力を受け付ける。電力供給制御部１１２は、操作部１６に入力された選択情報により特定される通信部により消費される電力を抑える。
これにより、ユーザは無線通信部の利用状況や利用頻度等に応じて、間欠受信間隔を変更する無線通信部を選択することができる。
【０１６３】
また、無線通信部の電力消費を低減するための動作を実行するか否かを、ユーザが選択できるようにしてもよい。この場合、操作部１６は、ユーザの操作に応答して、第２無線通信部１３２による通信を開始する指示情報の入力を受け付ける。第２無線通信部１３２の間欠受信間隔が省電力受信間隔Ｔ２に設定されているときに、ユーザの操作により操作部１６に第２無線通信部１３２による通信を開始する指示が入力されると、間欠受信間隔判別部１１２ｅは、第２無線通信部１３２の間欠受信間隔を通常受信間隔Ｔ１に再設定する。
これにより、バッテリに残存する電力量が少ない際であっても通信の確実性をなるべく確保したいときに、通信の確実性を優先することができる。
【０１６４】
本発明の実施形態における第１無線通信システム３は、ＧＳＭ（Global System Mobile Communications）等のセルラー方式の移動通信システムであってもよい。また、第２無線通信システム４は、例えば、ＵＷＢ（Ultra Wide Band）等の局所無線通信システムであってもよい。
【０１６５】
本発明の実施形態に従ったプレゼンス通信システムＰＳによれば、例えば、携帯電話装置１を携帯しているユーザが外出先でノートパソコンを使用してデータ通信を実施したときに、そのノートパソコンが携帯電話装置１の第２無線通信部１３２に代わって着信を受けることにより、第２無線通信部１３２への電力供給を停止することができる。
【０１６６】
なお、プレゼンス監視対象情報に登録する装置識別子ＡＩに対応付けられる電子装置はデータ通信が可能な電子装置であればよく、図３Ｂで例示した、ＰＣ、ＰＤＡ、カーナビゲーション装置、テレビジョン装置、以外にも、通信機能を搭載した電子腕時計、白物家電、ＡＶ機器、等であってもよい。
【０１６７】
また、上記実施形態に係る携帯電話装置１を、複数の通信部を備えるコンピュータによって実現することもできる。
例えば、上記実施形態では、携帯電話装置１において、動作プログラムが記憶部１２に予め記憶されているものとして説明した。しかし、上述の処理動作を実行させるためのプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理動作を実行する装置を構成してもよい。
【０１６８】
また、プログラムをインターネット等の通信ネットワーク上の所定のサーバ装置が有するディスク装置等に格納しておき、例えば、搬送波に重畳させて、コンピュータにダウンロード等するようにしてもよい。さらに、通信ネットワークを介してプログラムを転送しながら起動実行することによっても、上述の処理を達成することができる。
また、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【図面の簡単な説明】
【０１６９】
【図１】本発明の実施形態１に係るプレゼンス通信システムの全体構成を示すブロック図である。
【図２】本発明の実施形態１に係る携帯電話装置の回路構成を示すブロック図である。
【図３Ａ】プレゼンス情報を示す図である。
【図３Ｂ】プレゼンス監視対象情報を示す図である。
【図３Ｃ】転送先情報を示す図である。
【図４Ａ】本発明の実施形態１において、携帯電話装置が第２無線通信部をオンからオフにするときの、プレゼンス通信システムの各構成要素の動作を示すフローチャートである。
【図４Ｂ】本発明の実施形態１において、携帯電話装置が第２無線通信部をオンからオフにするときの、プレゼンス通信システムの各構成要素の動作を示すフローチャートである。
【図４Ｃ】本発明の実施形態１において、携帯電話装置が第２無線通信部をオンからオフにするときの、プレゼンス通信システムの各構成要素の動作を示すフローチャートである。
【図５Ａ】本発明の実施形態１において、携帯電話装置が第２無線通信部をオフからオンにするときの、プレゼンス通信システムの各構成要素の動作を示すフローチャートである。
【図５Ｂ】本発明の実施形態１において、携帯電話装置が第２無線通信部をオフからオンにするときの、プレゼンス通信システムの各構成要素の動作を示すフローチャートである。
【図５Ｃ】本発明の実施形態１において、携帯電話装置が第２無線通信部をオフからオンにするときの、プレゼンス通信システムの各構成要素の動作を示すフローチャートである。
【図６】本発明の実施形態１において、無線通信部への電力供給を制御するときの携帯電話装置の詳細な動作を示すフローチャートである。
【図７】本発明の実施形態２に係る携帯電話装置の回路構成を示すブロック図である。
【図８】本発明の実施形態２において、間欠受信間隔を制御するときの携帯電話装置の詳細な動作を示すフローチャートである。
【符号の説明】
【０１７０】
１，２…携帯電話装置、３…第１無線通信システム、３ａ…第１基地局、３ｂ…プレゼンス情報通知装置、４…第２無線通信システム、４ａ…第２基地局、５…呼制御サーバ、６…位置登録サーバ、７…プレゼンスサーバ、８…番号対照ＤＢサーバ、１０…バス、１１…制御部、１２…記憶部、１３…通信部、１４…共通回路部、１５…電源部、１５ａ…電源コントローラ、１５ｂ…バッテリ、１６…操作部、１７…表示部、１８…音声マイクロフォン、１９…音声スピーカ、１１１…通信制御部、１１２…電力供給制御部、１１２ａ…プレゼンス情報取得制御部、１１２ｂ…プレゼンス特定部、１１２ｃ…電力供給判別部、１１２ｄ…転送制御部、１１２ｅ…間欠受信間隔判別部、１１３…タイマ部、１２１…プレゼンス情報記憶領域、１２２…プレゼンス監視対象情報記憶領域、１２３…電力供給状態記憶領域、１２４…通信状態記憶領域、１２５…転送先情報記憶領域、１２６…間欠受信間隔記憶領域、１３１…第１無線通信部、１３１ａ，１３２ａ…アンテナ、１３２…第２無線通信部、Ｎ…ネットワーク
【図１】
2008154225.tif 000003
【図２】
2008154225.tif 000004
【図３Ａ】
2008154225.tif 000005
【図３Ｂ】
2008154225.tif 000006
【図３Ｃ】
2008154225.tif 000007
【図４Ａ】
2008154225.tif 000008
【図４Ｂ】
2008154225.tif 000009
【図４Ｃ】
2008154225.tif 000010
【図５Ａ】
2008154225.tif 000011
【図５Ｂ】
2008154225.tif 000012
【図５Ｃ】
2008154225.tif 000013
【図６】
2008154225.tif 000014
【図７】
2008154225.tif 000015
【図８】
2008154225.tif 000016